(57)【要約】【課題】簡単に設置することができるとともに止水性能を向上させることができる止水装置及び止水ユニットを提供する。【解決手段】止水ユニット１００は、複数の止水装置１によって構成されたユニット本体１０と、一対の端部ユニット９０Ａ、９０Ｂと、を備える。止水装置１の底面止水部３１の端辺部３１１に設置部３１１Ａ及び浮上面３１１Ｂが形成されるとともに、変形部材４２を有する境界止水手段４が設けられていることで、水圧及び水の重量を利用して止水装置１の止水性能を向上させることができる。さらに、止水装置自体を重くして止水性能を向上させる構成と比較して、止水装置１を簡単に設置することができる。【選択図】図２
2017075450.tif 000002
【特許請求の範囲】
【請求項１】
所定の流水方向において一方側から他方側に向かう水を止水する止水装置であって、
地面に沿って配置される底面止水部と、
前記底面止水部の前記他方側に連続して立設される壁面止水部と、
前記底面止水部における前記一方側の端辺部と地面との間を止水する境界止水手段と、を備え、
前記一方側の端辺部には、地面に当接して設置される設置部と、該設置部に連続するとともに前記一方側に向かうに従って地面から離れていく浮上面と、が形成され、
前記境界止水手段は、前記一方側の端辺部に沿って設けられる変形部材と、該変形部材を地面との間に挟み込む水平板部、及び、前記変形部材を前記浮上面との間に挟み込む鉛直板部を有するＬ字部材と、を有することを特徴とする止水装置。
【請求項２】
前記境界止水手段は、前記一方側の端辺部と別体に構成されることにより、交換可能であることを特徴とする請求項１に記載の止水装置。
【請求項３】
前記他方側及び下方側に向かう方向の力によって前記Ｌ字部材を押圧する押圧手段をさらに備えることを特徴とする請求項１又は２に記載の止水装置。
【請求項４】
前記底面止水部及び前記壁面止水部は、１枚のシート部材によって形成され、
前記シート部材を支持するフレーム部をさらに備えることを特徴とする請求項１〜３のいずれか１項に記載の止水装置。
【請求項５】
前記底面止水部及び前記壁面止水部の幅方向の両端に設けられる一対の端部材をさらに備え、
前記一対の端部材には、一方に連結部が設けられるとともに、他方に前記連結部と連結可能な連結受け部が設けられ、
前記一対の端部材のうち一方には、他の止水装置における他方の前記端部材との間を止水する連結止水部材が設けられ、
前記幅方向に並べられた他の止水装置と連結可能に構成されていることを特徴とする請求項１〜４のいずれか１項に記載の止水装置。
【請求項６】
請求項１〜５のいずれか１項に記載された止水装置を少なくとも１つ備えたユニット本体と、該ユニット本体の幅方向の端部に設けられる端部ユニットと、を備え、前記壁面止水部よりも前記他方側の止水領域に向かう水を止水する止水ユニットであって、
前記ユニット本体は、１つの前記止水装置、又は、前記幅方向に並べられた複数の前記止水装置によって構成され、
前記端部ユニットは、前記止水領域を前記幅方向から覆う端部止水面部を備えることを特徴とする止水ユニット。
【請求項７】
前記端部ユニットは、前記端部止水面部の下端と地面との間を止水する端部境界止水手段をさらに備え、
前記端部止水面部の下端には、地面に当接して設置される端部設置部と、該端部設置部に連続するとともに前記止水領域から離れるに従って地面から離れていく端部浮上面と、が形成され、
前記端部境界止水手段は、端部止水面部の下端における前記止水領域の反対側に沿って設けられる端部変形部材と、該端部変形部材を地面との間に挟み込む端部水平板部、及び、前記端部変形部材を前記端部浮上面との間に挟み込む端部鉛直板部を有する端部Ｌ字部材と、を有することを特徴とする請求項６に記載の止水ユニット。
【請求項８】
前記端部ユニットは、地面への定着物の壁面に固定されるとともに前記端部止水面部に連結される壁固定部を備え、
前記端部止水面部及び前記壁固定部のうち少なくとも一方には、固着部材が挿通されるとともに前記壁面に対する当該端部止水面部の傾斜角度を調節可能な角度調節長孔が形成されていることを特徴とする請求項６又は７に記載の止水ユニット。
【請求項９】
前記端部ユニットは、地面への定着物の壁面に固定されるとともに前記端部止水面部に連結される壁固定部を備え、
前記壁固定部は、前記壁面に固定される壁面側部材と、該壁面側部材及び前記端部止水面部に連結される止水面側部材と、を有し、
前記壁面側部材及び前記止水面側部材のうち少なくとも一方には、固着部材が挿通されるとともに当該壁面側部材と当該止水面側部材との前記幅方向における相対位置を調節可能な幅調節長孔が形成されていることを特徴とする請求項６〜８のいずれか１項に記載の止水ユニット。
【発明の詳細な説明】
【技術分野】
【０００１】
本発明は、所定の流水方向において一方側から他方側に向かう水を止水する止水装置、及び、該止水装置と端部ユニットとを備えて止水領域に向かう水を止水する止水ユニットに関する。
【背景技術】
【０００２】
従来、直立固定された止水枠板と、この止水枠板を被覆する防水布と、を備えた洪水防止用止水板が提案されている（例えば、特許文献１参照）。特許文献１に記載された従来の止水装置は、洪水時に土嚢の代わりに用いられ、土嚢よりも容易に設置される。このような止水装置では、防水布のうち地面に沿った部分（底面止水部）の上側を水が流れ、直立した止水枠板に沿って設けられた部分（壁面止水部）によって止水される。即ち、止水板を挟んで一方側から他方側に向かう方向を流水方向とする水が止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、地面に凹凸が形成されていたり砂等の異物が存在していたりすると、防水布が地面に密着せずに隙間が形成され、水が浸入してしまうことがある。このような隙間に水が浸入すると、防水布に浮力が生じてさらに水が浸入しやすくなってしまう。そこで、防水布の重量を重くしたり防水布に重量物を載置したりすることにより、防水布を浮きにくくする対応も考えられるものの、装置全体の重量が増加してしまい、設置する際の作業性が低下してしまう。
【０００５】
本発明の目的は、簡単に設置することができるとともに止水性能を向上させることができる止水装置及び止水ユニットを提供することにある。
【課題を解決するための手段】
【０００６】
本発明の止水装置は、所定の流水方向において一方側から他方側に向かう水を止水する止水装置であって、地面に沿って配置される底面止水部と、前記底面止水部の前記他方側に連続して立設される壁面止水部と、前記底面止水部における前記一方側の端辺部と地面との間を止水する境界止水手段と、を備え、前記一方側の端辺部には、地面に当接して設置される設置部と、該設置部に連続するとともに前記一方側に向かうに従って地面から離れていく浮上面と、が形成され、前記境界止水手段は、前記一方側の端辺部に沿って設けられる変形部材と、該変形部材を地面との間に挟み込む水平板部、及び、前記変形部材を前記浮上面との間に挟み込む鉛直板部を有するＬ字部材と、を有することを特徴とする。
【０００７】
以上のような本発明によれば、止水装置が底面止水部及び壁面止水部を有することで、底面止水部の上側を流れる水は壁面止水部によって遮られ、他方側に向かうことが抑制される。また、Ｌ字部材の水平板部と地面との間に変形部材が挟み込まれていることで、水平板部の上側に水が存在する場合に、水圧及び水の重量によって水平板部が変形部材を地面に押し付ける。このとき変形部材は、地面の凹凸や異物に応じて変形し、地面に密着することから、地面との間に隙間が生じにくく、変形部材と地面との間に水が浸入しにくくなる。このような変形部材が底面止水部における流水方向の一方側の端辺部に沿って設けられていることで、底面止水部の一方側の端辺部における止水性能を向上させることができる。
【０００８】
さらに、端辺部に浮上面が形成され、鉛直板部と浮上面との間に変形部材が挟み込まれることで、鉛直板部の他方側に水が存在する場合に、水圧によって鉛直板部が変形部材を浮上面に押し付ける。このとき変形部材は、地面と浮上面との間に入り込むように変形する。従って、他方側への水圧を利用して地面と設置部との間における止水性能を向上させることができる。尚、変形部材は、加圧されることで変形して対象物に密着するとともに、変形後の形状を維持するような性質を有するものであればよい。
【０００９】
上記のように水圧等によって変形部材を変形させて止水性能を向上させていることで、止水装置自体を重くして止水性能を向上させる構成と比較して、止水装置を簡単に設置することができる。尚、上記では水平板部及び鉛直板部が水圧によって押圧されて変形部材が変形するものとしたが、設置者等がＬ字部材を他方側及び下方側に向けて押圧し、変形部材を予め変形させておき、水圧等によって変形部材をさらに変形させてもよい。
【００１０】
この際、本発明の止水装置では、前記境界止水手段は、前記一方側の端辺部と別体に構成されることにより、交換可能であることが好ましい。このような構成によれば、止水装置を設置して変形部材を変形させた後に撤去し、再度設置する際に、境界止水手段を交換して新たな変形部材を容易に設けることができる。従って、新たな変形部材を変形させることにより、再設置時にも同様の止水性能を得ることができる。
【００１１】
さらに、本発明の止水装置では、前記他方側及び下方側に向かう方向の力によって前記Ｌ字部材を押圧する押圧手段をさらに備えることが好ましい。このような構成によれば、上記のような水圧だけでなく、押圧手段の押圧力によって変形部材を変形させることができる。従って、止水装置に対して水が流れる前に変形部材を変形させておくことができ、止水性能をさらに向上させることができる。
【００１２】
さらに、本発明の止水装置では、前記底面止水部及び前記壁面止水部は、１枚のシート部材によって形成され、前記シート部材を支持するフレーム部をさらに備えることが好ましい。このような構成によれば、底面止水部及び壁面止水部が１枚のシート部材によって形成されていることで、底面止水部及び壁面止水部が板状の部材によって形成される構成と比較して、装置全体を軽量化することができる。
【００１３】
また、本発明の止水装置では、前記底面止水部及び前記壁面止水部の幅方向の両端に設けられる一対の端部材をさらに備え、前記一対の端部材には、一方に連結部が設けられるとともに、他方に前記連結部と連結可能な連結受け部が設けられ、前記一対の端部材のうち一方には、他の止水装置における他方の前記端部材との間を止水する連結止水部材が設けられ、前記幅方向に並べられた他の止水装置と連結可能に構成されていることが好ましい。このような構成によれば、止水したい領域に応じて止水装置を適宜な数だけ連結して並べることができる。さらに、端部材に連結止水部材が設けられていることで、複数の止水装置を並べた場合に、止水装置同士の間から水が浸入することを抑制することができる。
【００１４】
一方、本発明の止水ユニットは、前記いずれかに記載された止水装置を少なくとも１つ備えたユニット本体と、該ユニット本体の幅方向の端部に設けられる端部ユニットと、を備え、前記壁面止水部よりも前記他方側の止水領域に向かう水を止水する止水ユニットであって、前記ユニット本体は、１つの前記止水装置、又は、前記幅方向に並べられた複数の前記止水装置によって構成され、前記端部ユニットは、前記止水領域を前記幅方向から覆う端部止水面部を備えることを特徴とする。このような本発明の止水ユニットによれば、ユニット本体と端部ユニットとによって止水領域を囲むことができ、効果的に止水することができる。
【００１５】
この際、本発明の止水ユニットでは、前記端部ユニットは、前記端部止水面部の下端と地面との間を止水する端部境界止水手段をさらに備え、前記端部止水面部の下端には、地面に当接して設置される端部設置部と、該端部設置部に連続するとともに前記止水領域から離れるに従って地面から離れていく端部浮上面と、が形成され、前記端部境界止水手段は、端部止水面部の下端における前記止水領域の反対側に沿って設けられる端部変形部材と、該端部変形部材を地面との間に挟み込む端部水平板部、及び、前記端部変形部材を前記端部浮上面との間に挟み込む端部鉛直板部を有する端部Ｌ字部材と、を有することが好ましい。このような構成によれば、底面止水部の端辺部に沿って設けられた変形部材と同様に、端部止水面部の下端に沿って設けられた端部変形部材を変形させることができ、幅方向に沿って流れる水に対する止水性能を向上させることができる。
【００１６】
さらに、本発明の止水ユニットでは、前記端部ユニットは、地面への定着物の壁面に固定されるとともに前記端部止水面部に連結される壁固定部を備え、前記端部止水面部及び前記壁固定部のうち少なくとも一方には、固着部材が挿通されるとともに前記壁面に対する当該端部止水面部の傾斜角度を調節可能な角度調節長孔が形成されていることが好ましい。このような構成によれば、角度調節長孔によって定着物の壁面に対する端部止水面部の傾斜角度が調節可能であることで、地面と壁面とが交わる角度に応じて傾斜角度を調節し、端部止水面部の下端が地面に沿うようにすることができる。
【００１７】
また、本発明の止水ユニットでは、前記端部ユニットは、地面への定着物の壁面に固定されるとともに前記端部止水面部に連結される壁固定部を備え、前記壁固定部は、前記壁面に固定される壁面側部材と、該壁面側部材及び前記端部止水面部に連結される止水面側部材と、を有し、前記壁面側部材及び前記止水面側部材のうち少なくとも一方には、固着部材が挿通されるとともに当該壁面側部材と当該止水面側部材との前記幅方向における相対位置を調節可能な幅調節長孔が形成されていることが好ましい。このような構成によれば、幅調節長孔によって壁面側部材と止水面側部材との幅方向における相対位置が調節可能であることで、壁面側部材を壁面の適宜な位置に配置するとともに止水ユニットを適宜な位置に設置することができる。
【図面の簡単な説明】
【００１８】
【図１】本発明の実施形態に係る止水ユニットを示す斜視図である。
【図２】前記止水ユニットにおけるユニット本体を構成する止水装置を示す斜視図である。
【図３】前記止水装置の境界止水手段を示す斜視図である。
【図４】前記止水装置の押圧手段の押圧金具を示す平面図である。
【図５】前記押圧手段のレバーを示す平面図である。
【図６】前記押圧手段によって前記境界止水手段を押圧する様子を示す側面図である。
【図７】前記止水装置の連結手段の連結部を示す斜視図である。
【図８】前記連結手段の連結受け部を示す斜視図である。
【図９】前記止水ユニットの端部ユニットを構成する端部止水面部を示す側面図及び背面図である。
【図１０】前記端部ユニットの壁固定部を示す正面図及び側面図である。
【発明を実施するための形態】
【００１９】
以下、本発明の実施形態を図面に基づいて説明する。本実施形態の止水ユニット１００は、図１に示すように、複数（本実施形態では３）の止水装置１が並べられたユニット本体１０と、ユニット本体１０に対して止水装置１の配列方向の両端に設けられた端部ユニット９０Ａ、９０Ｂと、を備え、ユニット本体１０及び端部ユニット９０Ａ、９０Ｂによって３方向から囲まれた止水領域Ａに向かう水を止水するように構成されている。止水ユニット１００は、例えば定着物としての建物の壁面に対し、扉等が設けられた開口部を囲むように設置される。
【００２０】
本実施形態において、止水装置１の配列方向を幅方向とし、鉛直方向を上下方向とし、幅方向及び上下方向に略直交する方向を奥行方向とする。また、止水装置１から見て建物側と反対側を奥行方向の一方側とし、建物側を奥行方向の他方側とする。また、端部ユニット９０Ａ、９０Ｂから見て止水領域Ａ側を幅方向の内側とし、その反対側を幅方向の外側とする。
【００２１】
ユニット本体１０は、３つの止水装置１が後述するような構造によって幅方向に連結されることにより構成されている。本実施形態において、３つの止水装置１は同様の構成を有するものとするが、これらの幅方向寸法は適宜に設定されていればよい。例えば、５０ｍｍ刻みで４００〜６００ｍｍの幅方向寸法を有する止水装置１を用意し、２以上の止水装置１を適宜に組み合わせれば、ユニット本体１０の幅方向寸法を８００ｍｍ以上において５０ｍｍ刻みで調節することができる。また、ユニット本体１０は、充分な水位に対応するとともに、人が跨ぐことができるような高さ（例えば３００〜６００ｍｍ）を有している。
【００２２】
止水装置１は、図２に示すように、フレーム部２と、１枚の連続したシート部材３と、境界止水手段４と、押圧手段５と、連結手段６と、を備える。
【００２３】
フレーム部２は、幅方向に並設された３つの板状部材２１Ａ〜２１Ｃと、板状部材２１Ａ〜２１Ｃを連結するパイプ２２Ａ〜２２Ｃと、幅方向両端の板状部材２１Ａ、２１Ｃ同士を連結するとともにシート部材３の浮きを抑えるシート押さえ部２３と、を有する。幅方向の両端の板状部材２１Ａ、２１Ｃは、一対の端部材として機能する。
【００２４】
板状部材２１Ａ〜２１Ｃは、地面に沿って延びる脚部２１１と、上下方向に沿って延びる立設部２１２と、を有する。立設部２１２は、脚部２１１における奥行方向の端部２１１Ａ、２１１Ｂの間における他方側の端部２１１Ｂ寄りの部分から立設されている。脚部２１１の下面、及び、立設部２１２の奥行方向他方側の面には、板７、８を収容する収容凹部２１１Ｃ、２１２Ｂがそれぞれ形成されている。脚部２１１の一方側の端部２１１Ａ及び立設部２１２の上端部２１２Ａは、後述するパイプ２２Ａ、２２Ｃの外周面と連続するように、幅方向から見て円弧状に形成されている。また、幅方向外側に配置された一方の板状部材２１Ａにおける外側の面には、例えばゴムや軟質な樹脂等の弾性部材によって形成された連結止水部材２４が設けられている。従って、２つの止水装置１を幅方向に並べた際に、一方の止水装置１の板状部材２１Ａと、他方の止水装置１の板状部材２１Ｃと、の間に連結止水部材２４が挟み込まれる。
【００２５】
パイプ２２Ａ〜２２Ｃは、円筒状又は円柱状に形成されて幅方向に沿って延び、それぞれ、脚部２１１の奥行方向の端部２１１Ａ、２１１Ｂ及び立設部２１２の上端部２１２Ａにおいて、板状部材２１Ａ〜２１Ｃを連結する。
【００２６】
シート押さえ部２３は、両端の板状部材２１Ａ、２１Ｃに対して脚部２１１と立設部２１２とが形成する角部２１３（脚部２１１の上方側且つ立設部２１２の一方側の角部）に設けられるベース部２３１と、ベース部２３１同士を連結する押さえパイプ２３２と、を有する。ベース部２３１及び押さえパイプ２３２は、角部２１３との間にシート部材３を挟み込むように設けられる。押さえパイプ２３２は、幅方向の板状部材２１Ａ側において凸部２３２Ａを有するとともに、板状部材２１Ｃ側において凸部２３２Ａを収容可能な図示しない凹部を有している。また、凸部２３２Ａには、パイプの径方向に沿って延びる溝部２３２Ｂが形成され、凹部内には、溝部２３２Ｂに嵌合する嵌合部が設けられている。従って、２つの止水装置１を幅方向に並べ、一方の止水装置１の凸部２３２Ａを他方の止水装置１の凹部に収容し、溝部２３２Ｂと嵌合部とを嵌合させることにより、２つの止水装置１が押さえパイプ２３２Ａを軸として相対回動することが抑制される。
【００２７】
シート部材３は、例えばポリエチレン等の合成樹脂によって形成されたタープであり、略長方形に形成されるとともに、長手方向の両端辺が板７、８に巻き付けられている。シート部材３は、板７が脚部２１１の収容凹部２１１Ｃにされ、脚部２１１の下端面に沿うように奥行方向の一方側に向かった後、脚部２１１の端部２１１Ａ及びパイプ２２Ａの外周面に沿うよう折り返され、脚部２１１の上端面に沿って延び、角部２１３において上方側に向かって折り曲げられ、立設部２１２における奥行方向一方側の端面に沿って上方側に向かって延び、立設部２１２の上端部２１２Ａ及びパイプ２２Ｃの外周面に沿うように下方側に向かって折り返され、板８が立設部２１２の収容凹部２１２Ｂに収容されるように張架されることにより、フレーム部２に支持される。尚、シート部材３は、板状部材２１Ａ〜２１Ｃの各端面及びパイプ２２Ａ、２２Ｂの外周面に接着されているものとする。シート部材３のうち脚部２１１に沿った部分が、地面に沿って配置される底面止水部３１となり、立設部２１２に沿った部分が、底面止水部３１に連続して立設される壁面止水部３２となる。
【００２８】
底面止水部３１における奥行方向の一方側の端辺部３１１は、脚部２１１の端部２１１Ａ及びパイプ２２Ａに沿って形成され、地面に当接して設置される設置部３１１Ａと、設置部３１１Ａに連続するとともに一方側に向かうに従って地面から離れていく浮上面３１１Ｂと、を有する。従って、浮上面３１１Ｂは、幅方向から見て円弧状に形成されている。また、脚部２１１に収容される板７は、例えば鉄等の密度が高い部材によって形成され、立設部２１２に収容される板８よりも重く、止水装置１全体の重心が低くなるように構成されている。
【００２９】
境界止水手段４は、フレーム部２及びシート部材３とは別体に構成され、図３にも示すように、幅方向に沿って延びるＬ字部材４１と、Ｌ字部材４１の角に設けられる変形部材４２と、を有する。Ｌ字部材４１は、幅方向及び奥行方向に略平行な水平板部４１１と、幅方向及び上下方向に略平行な鉛直板部４１２と、を有し、幅方向から見てＬ字状に形成されている。
【００３０】
変形部材４２は、例えばポリブテン樹脂及び合成樹脂接着剤を基材とした不乾性のパテであって、加圧されることで変形して対象物に密着するとともに、変形後の形状を維持するような性質を有している。変形部材４２は、円柱状に形成されるとともに、水平板部４１１の下面及び鉛直板部４１２の他方側の面に当接するように設けられ、その直径は、水平板部４１１の奥行方向寸法及び鉛直板部４１２の上下方向寸法よりも大きい。
【００３１】
このような境界止水手段４は、図６に示すように、変形部材４２が底面止水部３１の端辺部３１１に沿うように配置され、水平板部４１１と地面との間に変形部材４２が挟み込まれるとともに、鉛直板部４１２と浮上面３１１Ｂとの間に変形部材４２が挟み込まれる。尚、境界止水手段４の幅方向寸法は、１つの止水装置１にのみ対応するものであってもよいし、複数の止水装置１に対応するものであってもよい。
【００３２】
押圧手段５は、板状部材２１Ａ〜２１Ｃのそれぞれに固定された土台部５１と、Ｌ字部材４１を押圧する板状の押圧金具５２と、３つの押圧金具５２を連結する角パイプ５３と、押圧金具５２を操作するためのレバー５４と、を有する。
【００３３】
土台部５１は、板状部材２１Ａ〜２１Ｃの脚部２１１の一方側における上面に固定され、脚部２１１との間にシート部材３を挟み込んでいる。土台部５１には、押圧金具５２を収容するためのスリット状の収容部５１１と、角パイプ５３が挿通される挿通孔５１２と、が形成されている。
【００３４】
押圧金具５２は、３つの土台部５１のそれぞれに対して設けられるとともに、図４に示すように、角パイプ５３が挿通される挿通孔５２１と、Ｌ字部材４１を押圧する押圧部５２２と、レバー５４に当接して操作される第１当接部５２３及び第２当接部５２４と、を有する。挿通孔５２１は、角パイプ５３と押圧金具５２とが連動して回動するように、角パイプ５３に対応した形状及び大きさを有している。即ち、３つの押圧金具５２は、角パイプ５３を介して同様に回動するようになっている。押圧部５２２は、Ｌ字部材４１に変形部材４２の反対側から当接可能なようにＬ字状に形成されている。
【００３５】
角パイプ５３は、例えば四角筒状に形成され、幅方向両端の板状部材２１Ａ、２１Ｃに亘って設けられる長さを有するとともに、３つの押圧金具５２の挿通孔５２１に挿通される。
【００３６】
レバー５４は、幅方向中央の板状部材２１Ｂに固定された土台部５１に対してのみ設けられ、図５に示すように、操作板部５４１と、角パイプ５３が挿通される挿通孔５４２と、を有する。操作板部５４１は、その上面が押圧金具５２の第１当接部５２３に当接し、下面が第２当接部５２４に当接するように形成されている。挿通孔５４２の内径は、角パイプ５３の外径よりも充分に大きく形成され、レバー５４と角パイプ５３とが独立に回動するように構成されている。
【００３７】
ここで、押圧手段５の動作機構について、図６に基づいて説明する。まず、図６（Ａ）に示すように押圧金具５２の押圧部５２２がＬ字部材４１から離れている状態から、レバー５４を操作して図中反時計回りに回動させる場合について考える。このとき、レバー５４は角パイプ５３と独立に回動していき、操作板部５４１の上面が押圧金具５２の第１当接部５２３に当接する。これにより、幅方向中央の押圧金具５２が押圧されて反時計回りに回動し、他の２つの押圧金具５２も角パイプ５３を介して同様に回動することにより、押圧部５２２がＬ字部材４１に当接して押圧する。
【００３８】
次に、図６（Ｂ）に示すように押圧金具５２の押圧部５２２がＬ字部材４１に当接した状態から、レバー５４を操作して図中時計回りに回動させる場合について考える。このとき、レバー５４は角パイプ５３と独立に回動していき、操作板部５４１の下面が押圧金具５２の第２当接部５２４に当接する。これにより、幅方向中央の押圧金具５２が時計回りに回動し、他の２つの押圧金具５２も角パイプ５３を介して同様に回動し、図６（Ａ）に示すような状態に戻る。
【００３９】
以上のように、押圧手段５を動作させることにより、境界止水手段４が押圧され、変形部材４２が変形する。即ち、図６（Ａ）に示すような変形前の変形部材４２が設けられたＬ字部材４１を、図６（Ｂ）に示すように押圧金具５２が押圧することにより、変形部材４２が、地面の凹凸や砂等の異物に応じて変形して地面に密着するとともに、浮上面３１１Ｂと地面との間に入り込むように変形する。このとき、押圧金具５２の回転軸と押圧部５２２とを通る仮想的な直線（二点鎖線で図示）は、地面に対して鋭角θを有して交差する。従って、押圧部５２２は、押圧金具５２が回動する際の下方側への分力によってＬ字部材４１の水平板部４１１を押圧し、奥行方向他方側への分力によってＬ字部材４１の鉛直板部４１２を押圧する。鋭角θは、３０°以上且つ６０°以下であることが好ましく、４０°以上且つ５０°以下であることがより好ましい。以上のようにレバー５４を操作して変形部材４２を変形させた後、レバー５４を逆方向に回動させ、元の位置に戻しておくことが好ましい。
【００４０】
連結手段６は、板状部材２１Ａにおけるベース部２３１に設けられた連結レバー６１と、連結レバー６１と一体に形成された連結部６２と、板状部材２１Ｃにおけるベース部２３１に形成された連結受け部６３と、を備える。連結レバー６１は、幅方向を軸方向として回動するようにベース部２３１に軸支され、図２における時計回り方向を連結方向とするように構成されている。
【００４１】
連結部６２は、図７に示すように、板状部材２１Ａから幅方向外側に突出するように幅方向に沿って延びる軸部６２１と、軸部６２１の先端部において径方向に突出する一対のピン部６２２と、を有する。
【００４２】
連結受け部６３は、図８に示すように、軸部６２１及びピン部６２２が挿通される係止孔６３１と、係止孔６３１の周辺部を形成するとともにピン部６２２を係止する係止面６３２と、を有する。係止面６３２は、幅方向内側を向くとともに、係止孔６３１のうちピン部６２２が挿通されるピン挿通部６３１Ａ、６３１Ｂから周方向に沿って連結方向に向かうにしたがって幅方向内側に向かうような傾斜を有している。
【００４３】
ここで、連結部６２と連結受け部６３とを連結する、即ち、幅方向に並べられた２つの止水装置１を連結する手順及びそのときの連結手段６の動作について説明する。まず、連結レバー６１を図７に示すように連結方向とは逆方向に回動させた状態にしておき、軸部６２１及びピン部６２２を係止孔６３１に挿通する。次に、連結レバー６１を連結方向に回動させる。このとき、ピン挿通部６３１Ａ、６３１Ｂに挿通されたピン部６２２は、傾斜した係止面６３２を登っていく。従って、連結受け部６３が形成されたベース部２３１が、連結部６２が形成されたベース部２３１に引き寄せられる。即ち、一方の止水装置１の板状部材２１Ａと、他方の止水装置１の板状部材２１Ｃと、が相対接近し、これらの間に設けられた連結止水部材２４が押圧される。
【００４４】
このような連結部６２及び連結受け部６３は、本実施形態において、脚部２１１の端部２１１Ａ、２１１Ｂ及び立設部２１２の上端部２１２Ａを頂点とする三角形の内心近傍に配置されている。このような配置により、連結部６２と連結受け部６３とを近づけようとする力が、各端部２１１Ａ、２１１Ｂ、２１２Ａにおいて差が生じにくく、一方の止水装置１の板状部材２１Ａ及び他方の止水装置１の板状部材２１Ｃと、連結止水部材２４と、のそれぞれの間に隙間が形成されにくい。尚、連結部６２及び連結受け部６３は、上記の三角形の外心や重心の近傍に配置されていてもよい。
【００４５】
一対の端部ユニット９０Ａ、９０Ｂは、それぞれ、止水領域Ａを幅方向外側から覆う端部止水面部９１と、端部境界止水手段９２と、壁固定部９３と、連結手段９４と、を備える。尚、以下では一方の端部ユニット９０Ａについて説明し、特に説明がない限り、他方の端部ユニット９０Ｂは一方の端部ユニット９０Ａと略対称な形状を有しているものとする。
【００４６】
端部止水面部９１は、適宜な金属部材によって板状に形成され、図９に示すように、板状部材２１Ａの脚部２１１に沿った形状を有する脚板部９１１と、立設部２１２に沿った形状を有する立設板部９１２と、脚板部９１１及び立設板部９１２から奥行方向の他方側に向かって延びる本体板部９１３と、を有する。一方の端部ユニット９０Ａでは、板状部材２１Ａに設けられた連結止水部材２４により、端部止水面部９１と板状部材２１Ａとの間が止水されるようになっている。他方の端部ユニット９０Ｂでは、端部止水面部９１のうち板状部材２１Ｃと対向する部分に、連結止水部材２４と同様の止水部材が設けられ、板状部材２１Ｃとの間が止水されるようになっている。
【００４７】
本体板部９１３の奥行方向他方側の端辺近傍には、幅方向に沿って延びるとともに上下方向に並んだ複数（本実施形態では４）の角度調節長孔９１３Ａが形成されている。また、脚板部９１１及び本体板部９１３の下端は、幅方向外側に折り返されており、地面に当接して設置される端部設置部９１４と、端部設置部９１４に連続するとともに止水領域Ａから離れるに従って地面から離れていく端部浮上面９１５と、が形成されている。
【００４８】
端部境界止水手段９２は、端部Ｌ字部材９２１と、端部変形部材９２２と、を備える。端部Ｌ字部材９２１は、幅方向及び奥行方向に略平行な端部水平板部９２１Ａと、上下方向及び奥行方向に略平行な端部鉛直板部９２１Ｂと、を備え、端部変形部材９２２は、変形部材４と同様の材質で形成されている。また、端部境界止水手段９２は、端部水平板部９２１Ａが端部変形部材９２２を地面との間に挟み込み、端部鉛直板部９２１Ｂが端部変形部材９２２を端部浮上面９１５との間に挟み込むように配置される。尚、端部境界止水手段９２は、設置者が手作業により端部Ｌ字部材を下方側及び幅方向内側に向けて押圧することで、端部変形部材９２２が変形部材４２と同様に変形するようになっているが、押圧手段５のような構成を端部ユニット９０に設けて押圧してもよい。
【００４９】
壁固定部９３は、建物の壁面に固定される壁面側部材９３１と、壁面側部材９３１及び端部止水面部９１の本体板部９１３に連結される止水面側部材９３２と、を有する。壁面側部材９３１は、例えば板金を曲げ加工及び打ち抜き加工することによって形成され、壁面に沿って固定される第１面部９３１Ａと、壁面から離隔するとともに壁面と略平行に延びる第２面部９３１Ｂと、第１面部９３１Ａと第２面部９３１Ｂとを連結する第３面部９３１Ｃと、を有している。第２面部９３１Ｂには、固着部材が挿通される図示しない複数の挿通孔が形成されている。
【００５０】
止水面側部材９３２は、例えば板金を曲げ加工及び打ち抜き加工することによって断面Ｌ字状に形成され、図１０に示すように、壁面と略平行に配置されて第２面部９３１Ｂに重ねられる平行面部９３２Ａと、平行面部９３２Ａに対して略垂直に延びる垂直面部９３２Ｂと、を有している。平行面部９３２Ａには、幅方向に沿って延びるとともに上下方向に並んだ複数（本実施形態では３）の幅調節長孔９３２Ｃが形成され、垂直面部９３２Ｂには、上下方向に並んだ挿通孔９３２Ｄが形成されている。幅調節長孔９３２Ｃの幅方向寸法は、例えば２５ｍｍに形成されている。
【００５１】
ここで、端部ユニット９０Ａ、９０Ｂを建物の壁面に取り付ける手順について説明する。まず、壁面側部材９３１の第１面部９３１Ａを壁面に固定する。このとき、ビス止めによって固定してもよいし、接着によって固定してもよく、壁面の状態や壁内部の構造等に応じた適宜な固定方法を採用すればよい。次に、第２面部９３１Ｂの挿通孔、及び、平行面部９３２Ａの幅調節長孔９３２Ｃに固着部材としてのネジを挿通し、ネジ止めによって壁面側部材９３１と止水面側部材９３２とを連結する。
【００５２】
このとき、幅調節長孔９３２Ｃによって壁面側部材９３１と止水面側部材９３２との幅方向における相対位置を調節する。これにより、壁面に固定された一対の壁面側部材９３１同士の間隔に対し、一対の端部止水面部９１同士の間隔を、幅調節長孔９３２Ｃの幅方向寸法の２倍（上記の例では５０ｍｍ）以内で調節することができる。端部止水面部９１同士の間隔は、ユニット本体１０の幅方向寸法に対応している。従って、上記のようにユニット本体１０の幅方向寸法が８００ｍｍ以上で５０ｍｍ刻みとなるように構成されている場合、一対の壁面側部材９３１同士の間隔を８００ｍｍ以上の任意の値に設定し、ユニット本体１０の幅方向両側に一対の端部ユニット９０Ａ、９０Ｂを配置することができる。
【００５３】
次に、垂直面部９３２Ｂの挿通孔９３２Ｄ、及び、本体板部９１３の角度調節長孔９１３Ａに固着部材としてのネジを挿通し、ネジ止めによって垂直面部９３２Ｂと本体板部９１３とを連結する。このとき、角度調節長孔９１３Ａによって壁面に対する端部止水面部９１の傾斜角度を調節し、端部止水面部９１の下端である端部設置部９１４を地面に当接させる。即ち、地面が壁面から離れるにしたがって下降するような傾斜を有している場合、上方側の角度調節長孔９１３Ａにおいて、下方側の角度調節長孔９１３Ａにおけるネジの位置よりも、奥行方向の他方側にネジを配置すればよい。
【００５４】
連結手段９４は、止水装置１の板状部材２１Ｃに設けられたベース部２３１と同様の構成を有し、端部止水面部９１における脚板部９１１と立設板部９１２との間の角部に固定されている。即ち、一方の端部ユニット９０Ａにおける連結手段９４は、連結受け部として機能し、止水装置１の板状部材２１Ａに設けられた連結レバー６１を連結方向に回動させることにより、板状部材２１Ａに端部止水面部９１が引き寄せられる。
【００５５】
他方の端部ユニット９０Ｂにおける連結手段９４は、連結受け部６３と連結されない。一対の端部ユニット９０Ａ、９０Ｂを壁面に対して固定するとともに、これらの間隔をユニット本体１０の幅方向寸法に合わせておけば、連結手段９４と連結受け部６３とを連結しなくても、他方の端部ユニット９０Ｂの端部止水面部９１と、止水装置１の板状部材２１Ｃと、によってこれらの間の止水部材を充分に押圧して挟み込むことができる。尚、他方の端部ユニット９０Ｂにおける連結手段９４に連結レバー６１及び連結部６２を設け、板状部材２１Ｃに設けられた連結受け部６３と連結させてもよい。
【００５６】
以上のような止水ユニット１００全体を設置する手順について説明する。まず、一対の壁面側部材９３１を壁面の適宜な位置に固定する。壁面側部材９３１は、止水ユニット１００を撤去する際にも常に壁面に固定されているものとする。次に、上記のように一方の端部ユニット９０Ａを壁面に対して固定するとともに、端部境界止水手段９２を配置して押圧する。さらに、１つの止水装置１を端部ユニット９０Ａの幅方向内側に並べるとともに連結し、連結された止水装置１の幅方向内側に他の止水装置１を並べて連結し、これを繰り返すことにより、端部ユニット９０Ａにユニット本体１０が連結された状態とする。このとき、止水装置１から境界止水手段４が取り外されているものとする。次に、端部ユニット９０Ｂを壁面に対して固定し、端部境界止水手段９２を配置して押圧する。さらに、境界止水手段４を上記のように配置するとともに、押圧手段５を操作して変形部材４２を変形させる。
【００５７】
尚、上記では端部ユニット９０Ａに対して順に止水装置１を連結していくものとしたが、先にユニット本体１０を形成し、端部ユニット９０Ａに連結してもよい。また、先に一対の端部ユニット９０Ａ、９０Ｂを壁面に固定してもよい。尚、境界止水手段４及び端部境界止水手段９２は適宜なタイミングで設けられればよい。
【００５８】
以上のように設置された止水ユニット１００に対して水が流れた際の各部の作用について説明する。まず、奥行方向を流水方向として一方側から他方側に向かって水が流れようとした場合について考える。底面止水部３１の上側を流れる水は、壁面止水部３２によって遮られ、他方側の止水領域Ａに向かうことが抑制される。さらに、水平板部４１１の上側に存在する水の水圧及び水の重量により、水平板部４１１が変形部材４２をさらに地面に押し付け、変形部材４２が地面にさらに密着する。従って、変形部材４２と地面との間を水が通過することが抑制される。このような変形部材４２が一方側の端辺部３１１に沿って設けられていることで、底面止水部３１は一方側の端辺部３１１において地面との間に水が浸入しにくくなる。
【００５９】
また、鉛直板部４１２の他方側に存在する水の水圧により、鉛直板部４１２が変形部材４２をさらに浮上面３１１Ｂに押し付け、変形部材４２がさらに地面と浮上面との間に入り込もうとする。従って、地面と設置部３１１Ａとの間に水が浸入しにくくなる。
【００６０】
次に、幅方向を流水方向として外側から内側に向かって水が流れようとした場合について考える。止水領域Ａに向かおうとする水は、端部止水面部９１によって遮られる。さらに、端部変形部材９２２が水の重量及び水圧によって変形部材４２と同様に変形し、端部変形部材９２２及び端部設置部９１４と地面との間に水が浸入しにくくなる。
【００６１】
止水ユニット１００は、設置と逆の手順で撤去されればよい。変形部材４２や端部変形部材９２２を地面から剥離する際には、変形部材の材質に応じた方法を採用すればよい。例えば、変形部材がパテである場合には、霧吹き等を用いて少量の水を撒くことにより、地面からの剥離が容易となる。また、Ｌ字部材と変形部材との間に剥離用テープ等を設けてもよく、変形部材と密着した剥離用テープを引っ張ることにより、地面から変形部材を剥離してもよい。このように止水ユニット１００を撤去した後に再設置する場合には、境界止水手段４及び端部境界止水手段９２を新たなものに交換し、上記と同様の手順で設置する。これにより、新たな変形部材４２及び端部変形部材９２２を変形させ、再設置時にも同様の止水性能を得ることができる。
【００６２】
このような本実施形態によれば、以下のような効果がある。即ち、底面止水部３１の端辺部３１１に設置部３１１Ａ及び浮上面３１１Ｂが形成されるとともに、境界止水手段４が設けられていることで、水圧及び水の重量を利用して止水装置１の止水性能を向上させることができる。さらに、止水装置自体を重くして止水性能を向上させる構成と比較して、止水装置１を簡単に設置することができる。
【００６３】
さらに、止水装置１が押圧手段５を備えていることで、止水装置１に対して水が流れる前に変形部材４２を変形させておくことができ、止水性能をさらに向上させることができる。また、押圧手段５が３つの押圧金具５２によって３箇所においてＬ字部材４１を押圧することで、変形部材４２の幅方向における変形のばらつきを抑制することができる。
【００６４】
さらに、底面止水部３１及び壁面止水部３２が１枚のシート部材３によって形成されていることで、底面止水部及び壁面止水部が板状の部材によって形成される構成と比較して、装置全体を軽量化することができる。
【００６５】
なお、本発明は、前記実施形態に限定されるものではなく、本発明の目的が達成できる他の構成等を含み、以下に示すような変形等も本発明に含まれる。例えば、前記実施形態では、押圧金具５２と角パイプ５３とレバー５４とを有した押圧手段５が止水装置１に設けられるものとしたが、押圧手段は、他方側及び下方側に向かう方向の力によってＬ字部材４１を押圧するものであればよく、このような構成に限定されない。また、止水装置が押圧手段を備えず、設置者がＬ字部材４１を押圧して変形部材４２を変形させてもよい。
【００６６】
また、前記実施形態では、底面止水部３１及び壁面止水部３２が１枚のシート部材３によって形成されるものとしたが、底面止水部及び壁面止水部が板状の部材によって形成されていてもよく、例えば板状の底面止水部と壁面止水部とが座椅子形状を有していてもよい。
【００６７】
また、前記実施形態では、連結部６２と連結受け部６３とを有する連結手段６によって複数の止水装置１が連結されるものとしたが、その他の構造により止水装置１同士が連結されてもよい。例えば、２つの止水装置１の一部を幅方向から挟み込むようなクランプにより、止水装置１同士が連結されてもよい。また、止水装置１同士が連結されず、複数の止水装置１が単に並べられることによって止水ユニットが構成されていてもよい。また、前記実施形態では、端部ユニット９０Ａと止水装置１との連結構造が、止水装置１同士の連結構造と共通化されているものとしたが、上記のような他の連結構造により端部ユニット９０Ａと止水装置１とが連結されてもよい。
【００６８】
また、前記実施形態では、３つの止水装置１によってユニット本体１０が構成され、ユニット本体１０と一対の端部ユニット９０Ａ、９０Ｂとによって止水ユニット１００が構成されるものとしたが、ユニット本体は任意の数の止水装置１によって構成されていればよく、１つの止水装置１のみによって構成されていてもよい。また、２つの壁面によって囲まれた止水領域に対して設置される場合には、止水ユニットは１つの端部ユニットのみを備えていてもよい。また、設置場所の状況や止水領域の形状等に応じて、止水装置１やユニット本体１０が単独で用いられてもよい。
【００６９】
また、前記実施形態では、端部止水面部９１に角度調節長孔９１３Ａが形成されるものとしたが、壁固定部９３に角度調節長孔が形成されてもよい。また、角度調節長孔９１３Ａは、奥行方向に沿って延びるものとしたが、その他の形状を有していてもよく、例えば、地面と壁面とが交わる角部側を中心とする円弧状に形成されていてもよい。また、角度調節長孔が形成されない構成としてもよく、例えば、壁面と端部ユニットとの間に弾性を有する止水部材を設け、この止水部材の弾性を利用して壁面に対する端部止水面部９１の傾斜角度を調節してもよい。
【００７０】
また、前記実施形態では、止水面側部材９３２に幅調節長孔９３２Ｃが形成されるものとしたが、壁面側部材９３１に幅調節長孔が形成されてもよい。また、幅調節長孔が形成されない構成としてもよく、ユニット本体１０の幅方向寸法に合わせて端部ユニットを壁面に対して固定してもよい。
【００７１】
また、前記実施形態では、変形部材４２としてポリブテン樹脂及び合成樹脂接着剤を基材とするパテを例示したが、変形部材は、加圧されることで変形して対象物に密着するとともに、変形後の形状を維持するような性質を有していればよく、例えば、軟性を有する（硬化剤を含まない）その他のパテや樹脂粘土等であってもよいし、発泡ウレタン等の発泡性の部材であってもよい。即ち、底面止水部３１の端辺部３１１に沿うようにスプレーによって発泡ウレタンを設け、さらにＬ字部材を配置することで境界止水手段としてもよい。
【００７２】
また、前記実施形態では、建物の壁面に形成された開口部を囲むように止水ユニット１００が設置されるものとしたが、止水ユニットやユニット本体、止水装置の設置場所及び用途はこれらに限定されない。例えば、建物の周囲を囲むように止水装置やユニット本体を設置してもよいし、止水装置やユニット本体を道路に沿って配置することで敷地側に水が浸入することを抑制してもよい。また、奥行方向の他方側において所定の領域を囲むように複数の止水装置を配置し、一方側に向かう水を止水することにより、この領域に水を溜めるように使用してもよい。
【００７３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００７４】
１００             止水ユニット
１０               ユニット本体
９０Ａ、９０Ｂ     端部ユニット
１                 止水装置
２                 フレーム部
３                 シート部材
４                 境界止水手段
５                 押圧手段
２１Ａ、２１Ｃ     板状部材（端部材）
２４               連結止水部材
３１               底面止水部
３１１             端辺部
３１１Ａ           設置部
３１１Ｂ           浮上面
３２               壁面止水部
４１               Ｌ字部材
４１１             水平板部
４１２             鉛直板部
４２               変形部材
６２               連結部
６３               連結受け部
９１               端部止水面部
９１４             端部設置部
９１５             端部浮上面
９２               端部境界止水手段
９２１             端部Ｌ字部材
９２１Ａ           端部水平板部
９２１Ｂ           端部鉛直板部
９２２             端部変形部材
９３               壁固定部
９１３Ａ           角度調節長孔
９３１             壁面側部材
９３２             止水面側部材
９３２Ｃ           幅調節長孔
【図１】
2017075450.tif 000003
【図２】
2017075450.tif 000004
【図３】
2017075450.tif 000005
【図４】
2017075450.tif 000006
【図５】
2017075450.tif 000007
【図６】
2017075450.tif 000008
【図７】
2017075450.tif 000009
【図８】
2017075450.tif 000010
【図９】
2017075450.tif 000011
【図１０】
2017075450.tif 000012